【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  異なる処理を必要とする階層と共通の処理が可能な階層とを含んでなる複数の信号を、複数の通信制御装置が接続されてなるネットワーク上で送受する通信制御方法において、
上記ネットワークにおける通信を制御する一の通信制御装置により上記複数の信号の何れかを処理するかを指定し、指定結果を出力する指定工程と、
上記指定工程で指定された信号に含まれる共通の処理が可能な階層に対して処理を行う同処理工程と、
上記指定工程で出力された指定結果に基づいて、上記ネットワークに接続されている少なくとも１以上の他の通信制御装置との間で信号の送受を行うための上記ネットワークにおける通信経路の設定を行う経路設定工程と、
上記経路設定工程で設定された通信経路を介して上記指定工程で指定された信号を送受し、上記他の通信制御装置により上記信号に含まれる異なる処理を必要とする階層に対して処理を行う異処理工程とを有する
ことを特徴とする通信制御方法。
【請求項２】  上記通信経路は、上記一の通信制御装置から上記他の通信制御装置への第１の経路と、上記他の通信制御装置から上記一の通信制御装置への第２の経路とからなる
ことを特徴とする請求項１記載の通信制御方法。
【請求項３】  上記通信経路はＩＥＥＥ１３９４規格に準拠するシリアルバスである
ことを特徴とする請求項１記載の通信制御方法。
【請求項４】  上記複数の信号は、スクランブルのかけられたスクランブルド放送信号であって、
上記一の通信制御装置が上記スクランブルド放送信号を受信する受信工程を更に有する
ことを特徴とする請求項１記載の通信制御方法。
【請求項５】  異なる処理を必要とする上記階層は、上記スクランブルド放送信号にかけられているスクランブルであって、
上記異処理工程では、上記スクランブルド放送信号をデスクランブルすることを特徴とする請求項４記載の通信制御方法。
【請求項６】  上記異処理工程では、上記スクランブルド放送信号を、前記スクランブルド放送信号のプロバイダのキーを用いることによってデスクランブルする
ことを特徴とする請求項５記載の通信制御方法。
【請求項７】  上記同処理工程は、上記放送信号を復調し当該復調された放送信号を出力する復調工程と、上記復調された上記放送信号に基づくマルチプレクスデータをデマルチプレクス処理し当該デマルチプレクスデータを出力するデマルチプレクス工程と、上記デマルチプレクスデータをデコードし、デコードデータを出力するデコード工程とを有する
ことを特徴とする請求項４記載の通信制御方法。
【請求項８】  上記異処理工程は、上記放送信号をデスクランブルすることによって上記マルチプレクスデータを得る
ことを特徴とする請求項７記載の通信制御方法。
【請求項９】  異なる処理を必要とする階層と共通の処理が可能な階層とを含んでなる複数の信号を、複数の通信制御装置が接続されてなるネットワーク上で送受する通信制御システムにおいて、
上記ネットワークにおける通信を制御する一の通信制御装置は、
上記複数の信号の何れかを処理するかを指定し、指定結果を出力する指定手段と、
上記指定手段で指定された信号に含まれる共通の処理が可能な階層に対して処理を行う同処理手段と、
上記指定手段で出力された指定結果に基づいて、上記ネットワークに接続されている少なくとも１以上の他の通信制御装置との間で信号の送受を行うための上記ネットワークにおける通信経路の設定を行う経路設定手段とを有し、
上記他の通信制御装置は、
上記一の通信制御装置により設定された上記通信経路を介して上記指定手段で指定された信号を送受し、上記信号に含まれる異なる処理を必要とする階層に対して処理を行う異処理手段と有する
ことを特徴とする通信制御システム。
【請求項１０】  上記通信経路は、上記一の通信制御装置から上記他の通信制御装置への第１の経路と、上記他の通信制御装置から上記一の通信制御装置への第２の経路とからなる
ことを特徴とする請求項９記載の通信制御システム。
【請求項１１】  上記通信経路はＩＥＥＥ１３９４規格に準拠するシリアルバスである
ことを特徴とする請求項９記載の通信制御システム。
【請求項１２】  上記複数の信号は、スクランブルのかけられたスクランブルド放送信号であって、
上記一の通信制御装置は、上記スクランブルド放送信号を受信する受信手段を更に有すること
を特徴とする請求項９記載の通信制御システム。
【請求項１３】  異なる処理を必要とする上記階層は、上記スクランブルド放送信号にかけられているスクランブルであって、
上記異処理手段は、上記スクランブルド放送信号をデスクランブルする
ことを特徴とする請求項１２記載の通信制御システム。
【請求項１４】  上記異処理手段は、上記スクランブルド放送信号を、前記スクランブルド放送信号のプロバイダのキーを用いることによってデスクランブルする
ことを特徴とする請求項１３記載の通信制御システム。
【請求項１５】  上記同処理手段は、上記放送信号を復調し、復調された放送信号を出力する復調手段と、上記復調された上記放送信号に基づくマルチプレクスデータをデマルチプレクス処理し、デマルチプレクスデータを出力するデマルチプレクス手段と、上記デマルチプレクスデータをデコードするデコード手段とを有する
ことを特徴とする請求項１２記載の通信制御システム。
【請求項１６】  上記異処理手段は、上記放送信号をデスクランブルすることによって上記マルチプレクスデータを得る
ことを特徴とする請求項１５記載の通信制御システム。
【請求項１７】  異なる処理を必要とする階層と共通の処理が可能な階層とを含んでなる複数の信号を、複数の通信制御装置が接続されてなるネットワーク上で送受する通信制御装置において、
上記複数の信号の何れかを処理するかを指定し、指定結果を出力する指定手段と、
上記指定手段で指定された信号に含まれる共通の処理が可能な階層に対して処理を行う同処理手段と、
上記指定手段で出力された指定結果に基づいて、上記ネットワークに接続されている少なくとも１以上の他の通信制御装置との間で信号の送受を行うための上記ネットワークにおける通信経路の設定を行う経路設定手段とを有する
ことを特徴とする通信制御装置。
【請求項１８】  上記通信経路は、上記同処理手段によって処理された信号を上記同処理手段から上記他の通信制御装置へ伝送する第１の経路と、上記他の通信制御装置によって処理された信号を上記他の通信制御装置から上記同処理手段へ伝送する第２の経路とからなることを特徴とする請求項１７記載の通信制御装置。
【請求項１９】  上記通信経路はＩＥＥＥ１３９４規格に準拠するシリアルバスである
ことを特徴とする請求項１７記載の通信制御装置。
【請求項２０】  上記複数の信号は、スクランブルのかけられたスクランブルド放送信号であって、
上記スクランブルド放送信号を受信する受信手段を更に有する
ことを特徴とする請求項１７記載の通信制御装置。
【請求項２１】  上記同処理手段は、上記放送信号を復調し、復調された放送信号を出力する復調手段と、上記復調された上記放送信号に基づくマルチプレクスデータをデマルチプレクス処理し、デマルチプレクスデータを出力するデマルチプレクス手段と、上記デマルチプレクスデータをデコードするデコード手段とを有する
ことを特徴とする請求項２０記載の通信制御装置。
【請求項２２】  異なる処理を必要とする階層と共通の処理が可能な階層とを含んでなる複数の信号を、複数の通信制御装置が接続されてなるネットワーク上で送受する通信制御装置において、
上記ネットワークにおける通信経路を介して、上記複数の信号のうち少なくとも１つの信号を入力し、上記信号に含まれる異なる処理を必要とする階層に対して処理を行う異処理手段と、
上記通信経路を介して、上記異処理手段で処理された信号を共通の処理が可能な階層の処理を行う他の通信制御装置に送出する送出手段とを有する
ことを特徴とする通信制御装置。
【請求項２３】  上記通信経路はＩＥＥＥ１３９４規格に準拠するシリアルバスである
ことを特徴とする請求項２２記載の通信制御装置。
【請求項２４】  入力された上記信号は、スクランブルのかけられたスクランブルド放送信号であって、
上記スクランブルド放送信号を入力する入力手段を更に有する
ことを特徴とする請求項２２記載の通信制御装置。
【請求項２５】  異なる処理を必要とする上記階層は、上記スクランブルド放送信号にかけられているスクランブルであって、
上記異処理手段は、上記スクランブルド放送信号をデスクランブルすることを特徴とする請求項２４記載の通信制御装置。
【請求項２６】  上記異処理手段は、上記スクランブルド放送信号を、前記スクランブルド放送信号のプロバイダのキーを用いることによってデスクランブルすることを特徴とする請求項２５記載の通信制御装置。
【手続補正２】
【補正対象書類名】明細書
【補正対象項目名】０００６
【補正方法】変更
【補正の内容】
【０００６】
【課題を解決するための手段】
本発明の通信制御方法は、異なる処理を必要とする階層と共通の処理が可能な階層とを含んでなる複数の信号を、複数の通信制御装置が接続されてなるネットワーク上で送受する通信制御方法において、上記ネットワークにおける通信を制御する一の通信制御装置により上記複数の信号の何れかを処理するかを指定し、指定結果を出力する指定工程と、上記指定工程で指定された信号に含まれる共通の処理が可能な階層に対して処理を行う同処理工程と、上記指定工程で出力された指定結果に基づいて、上記ネットワークに接続されている少なくとも１以上の他の通信制御装置との間で信号の送受を行うための上記ネットワークにおける通信経路の設定を行う経路設定工程と、上記経路設定工程で設定された通信経路を介して上記指定工程で指定された信号を送受し、上記他の通信制御装置により上記信号に含まれる異なる処理を必要とする階層に対して処理を行う異処理工程とを有することにより、上述した課題を解決する。
【手続補正３】
【補正対象書類名】明細書
【補正対象項目名】０００７
【補正方法】変更
【補正の内容】
【０００７】
ここで、上記通信経路は、上記一の通信制御装置から上記他の通信制御装置への第１の経路と、上記他の通信制御装置から上記一の通信制御装置への第２の経路とからなる。
【手続補正４】
【補正対象書類名】明細書
【補正対象項目名】０００８
【補正方法】変更
【補正の内容】
【０００８】
また、本発明の通信制御システムは、異なる処理を必要とする階層と共通の処理が可能な階層とを含んでなる複数の信号を、複数の通信制御装置が接続されてなるネットワーク上で送受する通信制御システムにおいて、上記ネットワークにおける通信を制御する一の通信制御装置は、上記複数の信号の何れかを処理するかを指定し、指定結果を出力する指定手段と、上記指定手段で指定された信号に含まれる共通の処理が可能な階層に対して処理を行う同処理手段と、上記指定手段で出力された指定結果に基づいて、上記ネットワークに接続されている少なくとも１以上の他の通信制御装置との間で信号の送受を行うための上記ネットワークにおける通信経路の設定を行う経路設定手段とを有し、上記他の通信制御装置は、上記一の通信制御装置により設定された上記通信経路を介して上記指定工程で指定された信号を送受し、上記信号に含まれる異なる処理を必要とする階層に対して処理を行う異処理手段と有することにより、上述した課題を解決する。
【手続補正５】
【補正対象書類名】明細書
【補正対象項目名】０００９
【補正方法】変更
【補正の内容】
【０００９】
ここで、上記通信経路は、上記一の通信制御装置から上記他の通信制御装置への第１の経路と、上記他の通信制御装置から上記一の通信制御装置への第２の経路とからなる。
【手続補正６】
【補正対象書類名】明細書
【補正対象項目名】００１０
【補正方法】変更
【補正の内容】
【００１０】
また、本発明の通信制御装置は、異なる処理を必要とする階層と共通の処理が可能な階層とを含んでなる複数の信号を、複数の通信制御装置が接続されてなるネットワーク上で送受する通信制御装置において、上記複数の信号の何れかを処理するかを指定し、指定結果を出力する指定手段と、上記指定手段で指定された信号に含まれる共通の処理が可能な階層に対して処理を行う同処理手段と、上記指定手段で出力された指定結果に基づいて、上記ネットワークに接続されている少なくとも１以上の他の通信制御装置との間で信号の送受を行うための上記ネットワークにおける通信経路の設定を行う経路設定手段とを有することにより、上述した課題を解決する。
【手続補正７】
【補正対象書類名】明細書
【補正対象項目名】００１１
【補正方法】変更
【補正の内容】
【００１１】
ここで、上記通信経路は、上記同処理手段によって処理された信号を上記同処理手段から上記他の通信制御装置へ伝送する第１の経路と、上記他の通信制御装置によって処理された信号を上記他の通信制御装置から上記同処理手段へ伝送する第２の経路とからなる。
【手続補正８】
【補正対象書類名】明細書
【補正対象項目名】００１２
【補正方法】変更
【補正の内容】
【００１２】
また、本発明の通信制御装置は、異なる処理を必要とする階層と共通の処理が可能な階層とを含んでなる複数の信号を、複数の通信制御装置が接続されてなるネットワーク上で送受する通信制御装置において、上記ネットワークにおける通信経路を介して、上記複数の信号のうち少なくとも１つの信号を入力し、上記信号に含まれる異なる処理を必要とする階層に対して処理を行う異処理手段と、上記通信経路を介して、上記異処理手段で処理された信号を共通の処理が可能な階層の処理を行う他の通信制御装置に送出する送出手段とを有することにより、上述した課題を解決する。